(57)【要約】【課題】基板本体に実装される各種回路部品のレイアウトに影響を及ぼすことなく基板本体に情報記憶媒体を取り付ける。【解決手段】アンテナ盤３７ａの下面に離間部材４０を設ける。離間部材４０の下部にストッパ４１と爪部４２とを形成する。プリント配線板３２に取り付け穴３２ａを形成する。取り付け穴３２ａに離間部材４０の爪部４２を嵌入し、プリント配線板３２をストッパ４１と爪部４２の先端に形成された係止片４２ｂとで挟持する。これにより離間部材４０はプリント配線板３２に固定され、ＲＦＩＤタグ３３はメイン基板２４から離間した箇所に設置される。【選択図】図４
2007080277.tif 000002
【特許請求の範囲】
【請求項１】
電子回路を構成する回路部品が実装された基板本体と、通信アンテナ及びこの通信アンテナを介して外部装置とのデータ通信が可能な集積回路を有する情報記憶媒体とを備え、前記基板本体に平行な天板を有する透明なケースで覆われる電子回路基板において、
前記基板本体から突出して設けた離間部材を備え、
この離間部材は、板状に形成した前記情報記憶媒体を、前記基板本体及び前記天板に対して略平行な位置関係に保ちながら、前記回路部品から離し前記天板に近接させた状態で支持することを特徴とする電子回路基板。
【請求項２】
前記情報記憶媒体は前記回路部品を覆う部位が透明になっていることを特徴とする請求項１記載の電子回路基板。
【請求項３】
前記基板本体に形成した取り付け孔と、前記離間部材の基端部に設けられ前記基板本体の取り付け孔に挿入される爪部及びこの挿入方向への前記離間部材の移動を規制するストッパとを係合させて、前記離間部材の基端部を前記基板本体に取り付けることを特徴とする請求項１または２記載の電子回路基板。
【請求項４】
前記情報記憶媒体に形成した取り付け孔と、前記離間部材の先端部に設けられ前記情報記憶媒体の取り付け孔に挿入される爪部及びこの挿入方向への前記離間部材の移動を規制するストッパとを係合させて、前記情報記憶媒体を前記離間部材の先端部に取り付けることを特徴とする請求項１ないし３いずれか１項記載の電子回路基板。
【請求項５】
前記情報記憶媒体の下面に前記離間部材の先端を固着したことを特徴とする請求項１ないし３いずれか１項記載の電子回路基板。
【請求項６】
請求項１ないし５いずれか１項記載の電子回路基板を備えたことを特徴とする遊技機。
【発明の詳細な説明】
【技術分野】
【０００１】
本発明は、電子回路基板及び遊技機に関し、詳しくは情報記憶媒体が取り付けられた電子回路基板、及びその電子回路基板を備えた弾球遊技機又は回動式遊技機などの遊技機に関する。
【背景技術】
【０００２】
電波を介して非接触でＩＤコード（ＩＤｅｎｔｉｆｉｃａｔｉｏｎＣｏｄｅ）を認識する技術（ＲＦＩＤ（ＲａｄｉｏＦｒｅｑｕｅｎｃｙＩＤｅｎｔｉｆｉｃａｔｉｏｎ））が急速に発展しており、現在、鉄道やバスの定期券、高速道路の料金回収などで多く実用化されている。この技術は工業製品に組み込まれている部品の管理にも採用されており、管理の効率化、確実化を促進している。
【０００３】
例えば、工場などで工業製品を製造する場合、まず、工業製品を構成する構成部品に関する各種情報（例えば、製造日、出荷先、出荷日、機種名、製造番号、再利用回数などの情報）を格納したＲＦＩＤタグ（非接触で情報のやり取りができる記憶媒体）が構成部品に取り付けられる。ＲＦＩＤタグが取り付けられた構成部品はベルトコンベアで搬送される。搬送経路の所定位置には読み出し及び書き込み装置、あるいは、読み出し又は書き込み装置（以下、「読み出し／書き込み装置」と称す）を組み込んだゲート又はアンテナ等の装置が設置されている。読み出し／書き込み装置はＲＦＩＤタグに対して電波を発信し、非接触で情報の読み出し、あるいは書き込みを行なうものであり、構成部品がゲート又はアンテナ等の装置を通過することで、読み出し／書き込み装置とＲＦＩＤタグとの間でデータ通信が行われる。
【０００４】
また、遊技店などでは、携帯型の読み出し／書き込み装置が用いられる。これは、ユーザーが手に持って操作できるものであり、読み出し／書き込み装置を遊技店に設置されている工業製品のＲＦＩＤタグが備えられている箇所に向けて操作することによってＲＦＩＤタグに対して情報の読み書きを行なう。
【０００５】
ＲＦＩＤタグに格納されている情報を読み出し／書き込み装置で読み出した場合、読み出された情報は、読み出し／書き込み装置を介してホストコンピュータに転送される。また、ＲＦＩＤタグに対して情報の書き込みを行なう場合、読み出し／書き込み装置は必要な情報をホストコンピュータから適宜に読み出し、その読み出した情報をＲＦＩＤタグに書き込む。このようにして、工業製品の構成部品に関する各種情報はホストコンピュータにて総合管理される。
【発明の開示】
【発明が解決しようとする課題】
【０００６】
しかしながら、遊技機における遊技動作を制御する回路部品にて構成される制御装置などを含む電子回路を備える基板に情報のやり取りができる情報記憶媒体を取り付ける場合、基板に情報記憶媒体を取り付けるためのスペースを確保しなければならず、そのため基板に実装することとなる所定回路部品などのレイアウトに大きな影響を及ぼしていた。
【０００７】
基板に情報記憶媒体を取り付けるためのスペースを確保し、基板面に直接情報記憶媒体を取り付けた場合、読み出し／書き込み装置と情報記憶媒体との間で行われるデータ通信は、基板を収容するケースや、そのケースを組み込む遊技機の筺体などを間に挟んで行なわれるため、情報記憶媒体と読み出し／書き込み装置との通信距離が開いてしまい、読み出し／書き込み装置から情報記憶媒体に向けて発信される電波が微弱電波である場合には情報記憶媒体に対して確実に情報の読み出し／書き込みができなかった。
【０００８】
本発明は、上記事情を考慮してなされたもので、電子回路を構成する各種回路部品が実装された基板に情報記憶媒体が取り付けられた電子回路基板において、基板に実装される所定回路部品などのレイアウトに影響を及ぼすことなく情報記憶媒体を基板に取り付けることができ、且つ、読み出し／書き込み装置から発信される電波の強弱に関わらず、読み出し／書き込み装置と情報記憶媒体との間で確実にデータ通信を行うことができるようにした電子回路基板、及びその電子回路基板を備えた遊技機を提供することを目的とする。
【課題を解決するための手段】
【０００９】
本発明は、電子回路を構成する回路部品が実装された基板本体と、通信アンテナ及びこの通信アンテナを介して外部装置とのデータ通信が可能な集積回路を有する情報記憶媒体とを備え、前記基板本体に平行な天板を有する透明なケースで覆われる電子回路基板に関し、前記基板本体から突出して設けた離間部材を備え、この離間部材は、板状に形成した前記情報記憶媒体を、前記基板本体及び前記天板に対して略平行な位置関係に保ちながら、前記回路部品から離し前記天板に近接させた状態で支持することを特徴とする。なお、外部装置とは、データの読み出しやデータの書き込みを行う装置を意味する。電子回路基板は透明なケースで覆われているため、ケースを通して内部状況が分かる。また、電子回路基板がケースで覆われているため、情報記憶媒体に対して不正が行われることが防止され、また、情報記憶媒体の破損が防止される。
【００１０】
前記情報記憶媒体は前記回路部品を覆う部位が透明になっていることが好ましい。この透明な部位を通して基板本体上の回路部品を見て、回路部品の状態を確認することができる。
【００１１】
前記基板本体に形成した取り付け孔と、前記離間部材の基端部に設けられ前記基板本体の取り付け孔に挿入される爪部及びこの挿入方向への前記離間部材の移動を規制するストッパとを係合させて、前記離間部材の基端部を前記基板本体に取り付けることが好ましい。
【００１２】
前記情報記憶媒体に形成した取り付け孔と、前記離間部材の先端部に設けられ前記情報記憶媒体の取り付け孔に挿入される爪部及びこの挿入方向への前記離間部材の移動を規制するストッパとを係合させて、前記情報記憶媒体を前記離間部材の先端部に取り付けることが好ましい。前記情報記憶媒体の下面に前記離間部材の先端を固着してもよく、これにより、情報記憶媒体の上面全体を前記天板に近接させることが可能になる。
【００１３】
本発明の遊技機は、上記の電子回路基板を備えたことを特徴とする。
【発明の効果】
【００１４】
本発明によれば、基板本体に離間部材を設け、この離間部材は情報記憶媒体を回路部品から離しケースの天板に略平行に近接させるので、基板本体の回路部品のレイアウトに影響を及ぼすことなく情報記憶媒体を基板本体に取り付けることができるとともに、情報記憶媒体をケース内においてデータ通信が良好に行える場所に配置することができる。
【発明を実施するための最良の形態】
【００１５】
図１に本発明を用いた遊技機の１実施例であるスロットマシン（回胴式遊技機）の外観を示す。スロットマシン１０は、筐体１１の前面扉１２に４個の表示窓１３が設けられており、各々の表示窓１３の奥に位置するように第１リール１４ａ、第２リール１４ｂ、第３リール１４ｃ及びサブリール１５が回転自在に組み込まれている。周知のように、第１〜第３リール１４ａ〜１４ｃの外周には複数種類の当選絵柄を含む所定絵柄が一定ピッチで配列され、リールが停止した状態では表示窓１３を通して１リールにつき３個の絵柄が観察可能になる。これにより、各リール毎に表示された絵柄を組み合わせてなる直線状の入賞有効ラインが例えば横３本斜め２本の合計５本が設定される。
【００１６】
前面扉１２は、上扉１２ａと下扉１２ｂとから構成されている。上扉１２ａ及び下扉１２ｂはそれぞれヒンジ１６により取り付けられ、それぞれ図中矢印Ｍの方向に回動させることができるようになっている。
【００１７】
下扉１２ｂの上部にはゲームの開始時に操作される１枚ベットボタン、ＭＡＸベットボタン、ペイアウトボタンなどの各種の操作ボタンの他に、メダルを投入するためのメダル投入口１７が設けられている。なお、これらの操作ボタンの機能はいずれも周知であるので、その詳細については省略する。また、これら操作ボタンの下部には、メダルベットが行われた後に操作される押下式スタートレバー１８や、スタートレバー１８の押下操作により回転し始めるリールの動作を停止させるための第１〜第３ストップボタン１９ａ〜１９ｃが設けられている。さらに、下扉１２ｂの下部には、メダル受け皿２０が設けられており、このメダル受け皿２０には、ゲームで入賞状態となるときに得られる配当メダルが払い出し口２１から払い出される。
【００１８】
図２に示すように、上扉１２ａを開くと、筐体１１内部には、基本制御装置であるメイン基板２４（電子回路基板）が配設されている。このメイン基板２４は、メイン基板収納ケース２５に収納されている。リールユニット２６は、支持枠２７に取り付けられ、支持枠２７は筐体１１内部に着脱自在に装着されている。
【００１９】
次に、図２〜４を参照してメイン基板２４の構成について説明する。図２に示すように、筺体１１の背面側の内壁には、スロットマシン１０における遊技の基本となる動作を生成してリール回転の制御などを行うためのメイン基板２４を収容したメイン基板収納ケース２５が組み付けられている。
【００２０】
図３に示すように、メイン基板収納ケース２５は、大別してケース本体２５ａと蓋２５ｂとから構成される。略直方形状であるケース本体２５ａ底面の４隅には台座２９が設けられており、この台座２９にメイン基板２４が固着される。図４に示すように、蓋２５ｂはケース本体２５ａの開口２５ｃを閉塞するようにケース本体２５ａに固定されており、ケース本体２５ａとともに、ＣＰＵ（ＣｅｎｔｒａｌＰｒｏｃｅｓｓｉｎｇＵｎｉｔ）３０及びスロットマシン１０の遊技動作プログラムを記憶したＲＯＭ（ＲｅａｄＯｎｌｙＭｅｍｏｒｙ）３１などの各種回路部品をプリント配線板３２（基板本体）に実装してなるメイン基板２４と、後述するＲＦＩＤタグ３３（情報記憶媒体）とを収容するための基板収容空間３４を形成している。なお、不図示であるが、ケース本体２５ａと蓋と２５ｂはビスによりビス締め固定されており、これによりメイン基板２４に対して何人も接触できないように防護している。ケース本体２５ａと蓋２５ｂとはビス締め固定に限らず、例えば、離脱不能とする接着剤やカシメによる固定、あるいは熱溶接などの公知の方法によって、ケース本体２５ａと蓋２５ｂとが分離されないように固定されていれば良い。また、ケース本体２５ａ及び蓋２５ｂはいずれも透光性を有するＡＢＳ樹脂（アクリロニトリル−ブタジエン−スチレン樹脂）などの合成樹脂で成形される。
【００２１】
図３に示すように、メイン基板２４には、ＲＦＩＤタグ３３が取り付けられている。ＲＦＩＤタグ３３は、ＩＣチップ３５（集積回路）と、このＩＣチップ３５に銅線３６を介して接続された円盤状の送信及び受信アンテナ、或いは送信又は受信アンテナのいずれかからなる送受信アンテナ３７（通信アンテナ）とを備えている。この送受信アンテナ３７は、読み出し／書き込み装置となるＲＦＩＤリーダ／ライタ３８（外部装置）（以下、「リーダ／ライタ」は「Ｒ／Ｗ」と記載）から受けた電波を電磁誘導によって電力として蓄積し、これをエネルギーとしてＩＣチップ３５を動作させる。なお、本実施形態においては、この送受信アンテナ３７のアンテナ盤３７ａも上述したケース基板２５ａや蓋２５ｂと同様に透光性を有するＡＢＳ樹脂によって成形されている。
【００２２】
ＩＣチップ３５には、製造日、出荷日、出荷先、機種名、機種番号、再利用回数などのメイン基板２４に纏わる各種情報が記憶可能なメモリ（不図示）と、送受信アンテナ３７を介してＲＦＩＤＲ／Ｗ３８と通信を行なう通信回路（不図示）とが設けられている。ＲＦＩＤＲ／Ｗ３８には、ＲＦＩＤタグ３３あるいはホストコンピュータ（不図示）との間で電波の送受信を行なうアンテナ３８ａが設けられている。
【００２３】
前記各種情報はホストコンピュータによって一括管理されている。ＲＦＩＤＲ／Ｗ３８は、ホストコンピュータから前記各種情報の更新情報などを適宜に読み出し、その読み出した情報をＩＣチップ３５のメモリに書き込んで記録するか、または、ＩＣチップ３５のメモリに記録されている情報を読み取るか、の少なくともいずれか一方を行う。従って、メイン基板２４の更新情報を適宜に確認することができる。また、読み取られた情報は一旦ＲＦＩＤＲ／Ｗ３８内の記憶可能なメモリ（不図示）に蓄積され、データ転送用ケーブル３９又は無線電信などを介してホストコンピュータへ転送され、点検管理される。
【００２４】
図３に示すように、送受信アンテナ３７のアンテナ盤３７ａ下面の略中心にはメイン基板２４に向けて離間部材４０が一体に設けられている。この離間部材４０は、プリント配線板３２におけるＣＰＵ３０やメモリ３１などの各種回路部品や記憶媒体の実装に影響を与えないように、ＲＦＩＤタグ３３とメイン基板２４とを離間させるためのものである。
【００２５】
図４（ａ）に示すように、離間部材４０のＲＦＩＤタグ３３が形成されていない先端部近傍にはメイン基板２４とＲＦＩＤタグ３３との距離を一定に保持するための円盤状のストッパ４１が形成されており、さらに、ストッパ４１よりも先端側には碇状の爪部４２が形成されている。この爪部４２は貫装軸４２ａと係止片４２ｂとから構成されており、ストッパ４１から突出している貫装軸４２ａの先端の両側に、その軸心方向に向かってに撓む弾性を有する変形可能な一対の係止片４２ｂが形成されている。
【００２６】
メイン基板２４のプリント配線板３２には、爪部４２の貫装軸４２ａよりもやや径が大きく、且つストッパ４１の直径よりもやや径が小さい取り付け孔３２ａが形成されている。この取り付け孔３２ａは、離間部材４０の先端部に形成された爪部４２を嵌入し離間部材４０をプリント配線板３２に係止するためのものであり、プリント配線板３２に実装される各種回路部品のレイアウトの妨げにならないような位置に穿設される。
【００２７】
離間部材４０をプリント配線板３２に組み付けるにあたって、図４（ｂ）に示すように、離間部材４０の爪部４２を先端からプリント配線板３２の取り付け孔３２ａに嵌入する。このとき、係止片４２が貫装軸４２ａの軸心方向に狭まった変形状態で嵌入される。そして、係止片４２ａが取り付け孔３２ａに完全に挿通した後は、図４（ｃ）に示すように、係止片４２ａは自身の弾性復元力によって元の状態に戻る。この状態時においてストッパ４１は嵌入方向に移動するのを規制する。これによりストッパ４１と爪部４２の係止片４２ｂとでプリント配線板３２は挟持される。このようにして離間部材４０はプリント配線板３２に確実に固定される。
【００２８】
上記のように構成されたスロットマシンの作用について説明する。プリント配線板３２に形成された取り付け孔３２ａに、ＲＦＩＤタグ３３と一体に形成された離間部材４０の爪部４２を嵌入し、取り付け孔３２ａにおける嵌入方向の移動を規制するストッパ４１と、爪部４２の先端に形成された係止片４２ｂとで挟持する。これにより離間部材４０はプリント配線板３２に固定され、離間部材４０の他方端部に設けられたＲＦＩＤタグ３３は、メイン基板２４から離間した箇所に設置される。次に、ＲＦＩＤタグ３３が取り付けられたメイン基板２４をメイン基板収納ケース２５に収納した状態で、筺体１１の所定位置に取り付ける。なお、収納状態時においてＲＦＩＤタグ３３の設置場所がメイン基板収納ケース２５の内壁面に近接するように調整しておくことで、ＲＦＩＤＲ／Ｗ３８とＲＦＩＤタグ３３との通信距離の短縮を図ることができる。
【００２９】
このようにＲＦＩＤタグ３３を離間部材４０を用いてプリント配線板３２の上方に固定することによって、プリント配線板３２に実装される各種回路部品のレイアウトに影響を及ぼすことなく、ＲＦＩＤタグ３３をメイン基板２４に配設することができる。
【００３０】
さらに、ＲＦＩＤＲ／Ｗ３８はメイン基板収納ケース２５、あるいは筺体１１を介してＲＦＩＤタグ３３と交信を行なうので、ＲＦＩＤタグ３３をメイン基板２４から離間させて設置することにより、ＲＦＩＤタグ３３をプリント配線板３２に直接取り付けた場合よりも、ＲＦＩＤタグ３３とＲＦＩＤＲ／Ｗ３８との交信距離が近くなり、仮に微弱電波で送受信を行なったとしてもＲＦＩＤＲ／Ｗ３８はＲＦＩＤタグ３３に対して確実に更新情報などの読み出し／書き込みを行なうことができる。
【００３１】
また、メイン基板収納ケース２５及びアンテナ盤３７ａは透光性を有する素材で形成されているので、メイン基板収納ケース２５及びアンテナ盤３７ａを通してプリント配線板３２上の様子を容易に視認することができる。これにより、ＲＦＩＤタグ３３と確実に交信できるようにＲＦＩＤＲ／Ｗ３８を適正部位に位置させることが可能となり、さらに、プリント配線板３２に実装されている各種部品の点検や管理を容易に行うことができる。
【００３２】
上記実施形態ではＲＦＩＤタグ３３と離間部材４０とは一体に形成されているが、図５に示すように、離間部材４０のＲＦＩＤタグ３２側に、爪部４２及びストッパ４１と同様の構成をした爪部４３及びストッパ４４を設け、さらにＲＦＩＤタグ３３を構成する板形状のアンテナ盤３７ａに取り付け孔４５を設け、爪部４３を取り付け孔４５に嵌入し、爪部４３とストッパ４４とでアンテナ盤３７ａを挟持することによって、離間部材４０とアンテナ盤３７ａとを着脱自在に固定するようにしても良い。
【００３３】
また、図６に示すように、離間部材４０の端部を加熱コテなどで溶融し、凸状のかしめ頭４０ａを形成して、このかしめ頭４０ａとストッパ４６とでアンテナ盤３７ａを挟持してＲＦＩＤタグ３３を固定しても良い。また、離間部材が金属で構成されている場合は、ハンダ溶着によって離間部材４０をＲＦＩＤタグ３３に固定しても良い。さらに、図７に示すように、ストッパとしてワッシャ４７を用いてメイン基板２４とＲＦＩＤタグ３３との離間距離を保持するようにしても良い。この他にも、図８に示すように、メイン基板２４とＲＦＩＤタグ３３との間にストッパとしてのパイプ式スペーサ４８を介在させることで、メイン基板２４とＲＦＩＤタグ３３とを離間させることもできる。このように、ＲＦＩＤタグ３３を棒状の離間部材４０の所定位置に固定し、メイン基板２４とＲＦＩＤタグ３３とを離間させ、離間距離を一定に保持する方法は適宜に変更することが可能である。
【００３４】
また、離間部材４０の構成素材がナイロンやポリエステル等の合成樹脂である場合には、爪部４２の代わりに、離間部材４０の先端部を溶融し、凸状のかしめ頭を形成して、このかしめ頭とストッパ４１とでプリント配線板３２を挟持するようにしても良い。また、離間部材４０が金属で構成されている場合には、ハンダ溶着によって離間部材４０をプリント配線板３２に固定しても良い。あるいは、凸部と凹部の嵌合による接続固定や、プリント配線板３２又は離間部材のいずれか一方にビス止め受けを設け、ビスによって接続固定しても良い。このように、離間部材４０をプリント配線板３２に固定する方法は適宜に変更することが可能である。
【００３５】
上記実施形態では、スロットマシンを取り上げて説明したが、パチンコ機等の遊技機に対しても実施することは可能である。図９にパチンコ機の背面側の外観を示す。パチンコ機５０の基体となる本体枠５１には、遊技を行う際に各種装置を作動させるための主制御を行う主制御回路装置５２（電子回路基板）の他に、副制御回路装置５３（電子回路基板）、球発射装置５４、球払出装置５５等がそれぞれ組み付けられている。これら装置は、図示しないケーブル又はハーネス等を介して電気的に接続されている。主制御回路装置５２を本体枠５１に組み込むにあたって、主制御回路装置５２には、上記実施形態で説明したメイン基板２４と同様の構成で、離間部材４０を用いてＲＦＩＤタグ３３が取り付けられる。ＲＦＩＤタグ３３が取り付けられた主制御回路装置５２は透光性を有する主制御回路装置収納ケース５６の内面にＲＦＩＤタグ３３が近接するように収納される。また、主制御回路装置５２と同様にして、副制御回路装置５３にもＲＦＩＤタグ３３が取り付けられる。ＲＦＩＤタグ３３が取り付けられた副制御回路装置５３は透光性を有する副制御回路装置収納ケース５７に収納される。このような構成にすることで、パチンコ機５０においても上述したスロットマシン１０と同様の効果を得ることができる。なお、本発明はスロットマシンやパチンコ機などの遊技機にのみ適用されるものではなく、電子回路基板を用いる各種電子機器についても適用することは可能である。
【００３６】
図１０に他の実施形態を示す。上記実施形態のものと同様の構成部材には同一の符号を付し、その詳細な説明は省略する。図１０に示すように、離間部材６０の一端にはストッパ４１と爪部４２とが設けられている。また、プリント配線板３２には取り付け孔３２ａが形成されている。この取り付け孔３２ａには離間部材６０の爪部４２が嵌入され、プリント配線板３２はストッパ４１と爪部４２とで挟持される。このようにして離間部材６０がプリント配線板３２に固定される。離間部材６０の他端には、離間部材６０が軸となるようにＲＦＩＤタグ３３を挟持する挟持部材６１が回動自在に取り付けられている。挟持部材６１は、第１支持体６１ａと第２支持体６１ｂとからなり、ＲＦＩＤタグ３３を構成する円盤状のアンテナ盤３７ａは、プリント配線板３２の基板面に対して直交するように配置され、第１支持体６１ａと第２支持体６１ｂとによって挟持される。
【００３７】
このような構成にすることで、離間部材６０に軸着された挟持部材６１を回動させることにより、送受信アンテナ３７の向きを情報の読み出し／書き込みに適した位置へと変位させることが可能となる。なお、軸着部６１ｃにはクリック機構（不図示）が備えられており、送受信アンテナ３７を所望の角度で固定することできる。また、クリック機構を用いずに挟持部材６１を回動させ、摩擦機能により所望の角度でフリーストップできるように構成すれば、挟持部材６１を無段階式に回動できるので、クリック機構よりも自由度の高い角度調節が可能となる。
【００３８】
また、図１１に示すように、離間部材として針金からなる屈曲部材６２を用いても良い。このような構成にすることで、送受信アンテナ３７の方向変位の自由度が高まり、情報の読み出し／書き込みに適した任意の向きに送受信アンテナ３７を変位させることが可能となる。
【００３９】
なお、上記実施形態では屈曲部材６２を構成する素材として針金を用いたが、これに限ることなく、形状記憶合金を含む屈曲性を有する素材であればどのようなものあっても良い。
【００４０】
また、爪部４２の形状は上記実施形態で説明した形状に限ることなく、上述した機能を有するものであればどのようなものあっても良い。
【００４１】
図１２に更に他の実施形態を示す。上記実施形態のものと同様の構成部材には同一の符号を付し、その詳細な説明は省略する。図１２（Ａ）に示すように、メイン基板２４は、ＣＰＵ（ＣｅｎｔｒａｌＰｒｏｃｅｓｓｉｎｇＵｎｉｔ）及びスロットマシン２の遊技動作プログラムを記憶したＲＯＭ（ＲｅａｄＯｎｌｙＭｅｍｏｒｙ）などの各種回路部品を実装してなるプリント配線板３２と、ＲＦＩＤタグ７０とから構成されている。プリント配線板３２には、円形の取り付け孔３２ｂ（嵌入孔）が穿設されている。この取り付け孔３２ｂは、プリント配線板３２に実装される各種回路部品のレイアウトの妨げにならないような箇所に穿設されている。なお、各種回路部品は、図中のハッチング箇所に実装されている。
【００４２】
ＲＦＩＤタグ７０はシート状に形成されている。図示しないが、ＲＦＩＤタグ７０は、上記実施形態と同様に、ＩＣチップと、送受信アンテナとを備えており、ＲＦＩＤリーダ／ライタ３８（図３参照）と交信を行なう。
【００４３】
矩形状の板片である支持部材７１の前面には矩形状の凹部７１ａ（保護部）が形成されている。この凹部７１ａはＲＦＩＤタグ７０の外形よりも一回り大きく形成されている。凹部７１ａの底面である貼り付け面７１ｂは、支持部材７１をプリント配線板３２に立設させた際に、支持部材７１がプリント配線板３２から突出している方向に略平行となるように形成されている。ＲＦＩＤタグ７０は、凹部７１ａの底面である貼り付け面７１ｂに工業用接着剤などによって貼り付けられる。
【００４４】
支持部材７１の下面にはプリント配線板３２の取り付け孔３２ｂに嵌入される２つ係止突起７２が設けられており、支持部材７１と係止突起７２とは透光性を有するＡＢＳ樹脂などの合成樹脂で一体成形されている。なお、支持部材７１と係止突起７２とを別個に形成し、係止突起７２を工業用接着剤などを用いて支持部材７１に取り付けるようにしても良い。この場合、支持部材７１は少なくとも透光性を有する合成樹脂で成形し、係止突起７２を少なくとも可撓性を有する合成樹脂で成形すると好適である。
【００４５】
係止突起７２は、貫装軸７２ａと係止凸部７２ｂとから構成されており、支持部材７１の下面から下方に向けて円柱状に突出している貫装軸７２ａの先端に鏃状である係止凸部７２ｂが形成されている。また、貫装軸７２ａの高さはプリント配線板３２の厚みよりもやや小さく、さらに、貫装軸７２ａの径は取り付け孔３２ｂの径よりもやや小さく形成されている。係止凸部７２ｂは、その最外径、すなわち係止凸部７２ｂの後端面の径が取り付け孔３２ｂの径よりもやや大きくなるように形成されている。
【００４６】
支持部材７１の凹部７１ａの貼り付け面７１ｂにＲＦＩＤタグ７０を貼り付けた後、支持部材７１の係止突起７２を先端部からプリント配線板３２の取り付け孔３２ｂに挿し込むと、図１３に示すように、プリント配線板３２は、支持部材７１に設けられた係止突起７２の係止凸部７２ｂの後端面と、支持部材７１の下面とで挟持された状態となり、図１２（Ｂ）に示すように、支持部材７１は、凹部７１ａの貼り付け面７１ｂがプリント配線板３２の実装面３２ｃに対して略垂直となるようにプリント配線板３２に固定される。したがって、貼り付け面７１ｂに貼り付けられたシート状のＲＦＩＤタグ７０がプリント配線板３２の実装面３２ｃに対して略垂直に配置される。
【００４７】
このようにＲＦＩＤタグ７０が配置されることで、ＲＦＩＤタグ７０をプリント配線板３２に直接貼り付けるよりも、プリント配線板３２におけるＲＦＩＤタグ７０が占有するスペースを小さくすることができる。また、ＲＦＩＤタグ７０が凹部７１ａに設けられているので、例えば、プリント配線板３２やプリント配線板３２の周辺部品の修理や点検などの作業を行う場合、その作業を行ってる者がＲＦＩＤタグ７０に接触することを防止することができる。
【００４８】
上記実施形態では、ＲＦＩＤタグ７０をシート状に形成したが、薄板状に形成しても良い。この場合、ＲＦＩＤタグ７０は、凹部７１ａからはみ出さないように形成されていると好適である。
【００４９】
上記実施形態では、支持部材７１に係止突起７２を設け、この係止突起７２が嵌入される取り付け孔３２ｂをプリント配線板３２に設けたが、係止突起７２をプリント配線板３２に設け、取り付け孔３２ｂを支持部材７１に設けても良い。すなわち、支持部材７１の下面に取り付け孔３２ｂを設け、この取り付け孔３２ｂにプリント配線板３２に設けた係止突起７２を嵌入することで、支持部材７１をプリント配線板３２上に突出するように立設すれば良い。また、支持部材７１の下面工業用接着剤を塗布し、支持部材７１をプリント配線板３２の実装面３２ｃに直接的に取り付けるようにしても良い。また、ビス止め、カシメ固定、溶着などの方法を用いても良く、このように、支持部材７１をプリント配線板３２に取り付ける方法は適宜決定すれば良い。
【００５０】
上記実施形態では、支持部材７１の凹部７１ａにＲＦＩＤタグ７０を設けたが、これに限ることなく、図１４（Ａ）に示すように、支持部材７３の内部にＲＦＩＤタグ７０を設けても良い。この場合、支持部材７３及び係止突起７４は、可撓性を有するＡＢＳ樹脂などの合成樹脂によって一体成形される。図１４（Ｂ）に示すように、支持部材７３は、第１支持片７５と、第１支持片７５に回動自在に連結された第２支持片７６とで構成される。上記実施形態の係止突起７２と同形状である係止突起７４は２分され、係止突起片７７、７８が形成される。係止突起片７７が第１支持片７５に、係止突起片７８が第２支持片７６に形成される。第１支持片７５の内側に凹部７５ａを形成し、この凹部７５ａにＲＦＩＤタグ７０を貼り付ける。そして第２支持片７６を円弧矢印方向に回動させ、第１支持片７５と第２支持片７６とを密着させる。この密着状態を維持しながら、係止突起７４を取り付け孔３２ｂに嵌入させる。
【００５１】
これにより、図１４（Ａ）に示すように、ＲＦＩＤタグ７０が第１支持片７５と第２支持片７６とで被覆され、ＲＦＩＤタグ７０が支持部材７３に内包された状態となる。したがって、ＲＦＩＤタグ７０を外部の接触や衝撃などから保護することができる。また、上記実施形態と同様に、支持部材７３をプリント配線板３２上に立設させることができる。また、ＲＦＩＤタグ７０を支持部材７３にインサート成形しても良く、ＲＦＩＤタグ７０を支持部材７３に内包する方法は適宜に変更可能である。
【図面の簡単な説明】
【００５２】
【図１】本発明を実施したスロットマシンの外観を示す斜視図である。
【図２】上扉を開放した状態を示す斜視図である。
【図３】ＲＦＩＤタグが取り付けられたメイン基板をメイン基板収納ケースに収納した状態を示す斜視図である。
【図４】ＲＦＩＤタグをメイン基板に取り付ける態様を示す断面図である。
【図５】ＲＦＩＤタグを爪部とストッパとで固定した状態を示す断面図である。
【図６】ＲＦＩＤタグをかしめた状態を示す断面図である。
【図７】ストッパとしてワッシャを用いたときの状態を示す断面図である。
【図８】メイン基板とＲＦＩＤタグとの間にパイプ式スペーサを介在させたときの状態を示す断面図。
【図９】本発明を適用したパチンコ機の背面側の外観を示す斜視図である。
【図１０】本発明の他の実施形態のメイン基板及びＲＦＩＤタグを示す斜視図である。
【図１１】離間部材として屈曲部材を用いたときの状態を示す斜視図である。
【図１２】さらに他の実施形態を示すメイン基板の斜視図である。
【図１３】支持部材がプリント配線板に取り付けられた状態を示す断面図である。
【図１４】支持部材の別の実施形態を示す斜視図である。
【符号の説明】
【００５３】
１０  スロットマシン
１１  筺体
２４  メイン基板
２５  メイン基板収納ケース
３２  プリント配線板
３２ａ、４５  取り付け孔
３２ｂ  取り付け孔（嵌入孔）
３２ｃ  実装面
３３、７０  ＲＦＩＤタグ
３５  ＩＣチップ
３７  送受信アンテナ
３７ａ  アンテナ盤
３８  ＲＦＩＤリーダ／ライタ
４０、６０  離間部材
４１、４４、４６  ストッパ
４２、４３  爪部
４２ｂ  係止片
４７  ワッシャ
４８  パイプ式スペーサ
６１  挟持部材
６２  屈曲部材
７１、７３  支持部材
７１ａ、７５ａ  凹部
７１ｂ  貼り付け面
７２、７４  係止突起
７５  第１支持片
７６  第２支持片
【図１】
2007080277.tif 000003
【図２】
2007080277.tif 000004
【図３】
2007080277.tif 000005
【図４】
2007080277.tif 000006
【図５】
2007080277.tif 000007
【図６】
2007080277.tif 000008
【図７】
2007080277.tif 000009
【図８】
2007080277.tif 000010
【図９】
2007080277.tif 000011
【図１０】
2007080277.tif 000012
【図１１】
2007080277.tif 000013
【図１２】
2007080277.tif 000014
【図１３】
2007080277.tif 000015
【図１４】
2007080277.tif 000016